(57)【特許請求の範囲】
【請求項１】
情報端末機における情報管理機能に、
音声で情報を入力し記録できる機能と、
前記記録された情報を音声で再生できる機能と、
前記情報の記録が可能な時間を所定時間に設定すると共に、記録の経過時間と記録可能な残りの時間とを表示する機能と、を備え、
前記情報が入力されると、前記情報端末機の表示画面に表示された第１のアイコンに情報有りの識別が表示され、
前記第１のアイコンを選択操作することで記録された前記情報を再生するか否か選択する第２のアイコンが表示されることを特徴とする通信機器。
【請求項２】
請求項１記載の通信機器において、
前記情報端末機が電話機能を有する場合では、受話器や前記情報端末機のマイクから前記情報を入力し、前記情報端末機のスピーカから前記情報を音声で再生できるようにしたことを特徴とする通信機器。
【請求項３】
請求項１記載の通信機器において、
前記表示画面はタッチパネル機能を有し、前記第１のアイコンと前記第２のアイコンをタッチ操作することで前記情報を音声で再生できるようにしたことを特徴とする通信機器。
【請求項４】
請求項１記載の通信機器において、
情報を音声で録音／再生できる前記情報管理機能が電子カレンダー機能、スケジュール機能あるいはメモ機能であることを特徴とする通信機器。
【発明の詳細な説明】
【０００１】
【発明の属する技術分野】
本発明は、情報端末機に電子カレンダー機能やスケジュール機能あるいはメモ機能等のＰＩＭ機能（パーソナル・インフォメーション・マネージャー）（以下、情報管理機能という）を有する通信機器に関し、詳しくは、情報管理機能に音声で予定やスケジュール等の情報を入力し記録することができると共に、記録した情報を音声で再生できるようにしたことによって、情報の書き込みや読み出しを手軽に行うことてができ、情報管理機能の便利性を向上するようにしたものである。
【０００２】
【従来の技術】
従来、この種、情報端末機の情報管理機能の一つである例えば、電子カレンダー機能に予定やスケジュール等の情報を入力する方法としては、キーボードが付帯されている情報端末機の場合では、キーボードを使用して文字入力していた。また、携帯型情報端末機の場合では液晶表示面にタッチペンを使用して手書きにより文字入力することができるものもある。
【０００３】
【発明が解決しようとする課題】
ところで、キーボードを使用して文字入力する作業は、キーボードを使い慣れていないユーザーにとっては簡単な文章であっても文字入力に時間を要し、面倒な作業である。また、タッチペンを使用して手書きで文字入力する場合も、ユーザーにとっては煩わしい作業である。
【０００４】
一方、上述した情報端末機に電話機能を有し、例えば、インターネット経由でＥメールの送受信機能を有するような、通称「スクリーンホーン」と言われる情報端末機が提案されている。このような情報端末機の場合であっても、受話器やマイクを利用して予定やスケジュール等の情報を音声で録音したり、再生できるものはなかった。
【０００５】
本発明は、上述したような課題を解消するためになされたもので、情報端末機の情報管理機能に音声で予定やスケジュール等の情報を入力し録音することができ、録音した情報を音声で再生することができるようにした通信機器を得ることを目的とする。
【０００６】
【発明を解決するための手段】
上述の目的を達成するため、本発明による通信機器は、情報端末機における情報管理機能に、音声で情報を入力し記録できる機能と、記録された情報を音声で再生できる機能と、情報の記録が可能な時間を所定時間に設定すると共に、記録の経過時間と記録可能な残りの時間とを表示する機能と、を備え、情報が入力されると、情報端末機の表示画面に表示された第１のアイコンに情報有りの識別が表示され、第１のアイコンを選択操作することで記録された情報を再生するか否か選択する第２のアイコンが表示されるようにしたものである。
【０００７】
このように構成したことで、情報端末機のマイクを利用して予定やスケジュール等の情報を情報管理機能に音声で入力し記録することができる。また、記録された予定やスケジュール等の情報は、情報有りの識別が表示された第１のアイコン等を操作することで情報端末機のスピーカから音声で再生することができる。
【０００８】
【発明の実施の形態】
以下、本発明による通信機器の実施の形態の例を電話機能を有する情報端末機の場合を例にとって図面を参照して説明する。
【０００９】
図１は電話機能を有する据え置き型情報端末機の全体の外観斜視図を示し、端末機本体１にはＬＣＤ（液晶表示装置）等の表示画面２を有する開閉可能の蓋カバー３を備え、端末機本体１の一側部に受話器４を備えている。また、端末機本体１上には文字入力のためのキーボタン群５、電話送信用のプッシュボタン６、スピーカ７等が備えられている。
【００１０】
上述した情報端末機には例えば、電話機能の他、カレンダー機能、スケジュール管理機能、メモ機能、アドレス機能、Ｅメール自動受信機能等の種々のＰＩＭ機能が備えられている。
【００１１】
これら機能のうち、本発明では一例としてカレンダー機能に録音／再生回路を組み込むことによって、伝言等の情報を音声で録音することができ、しかも、録音した伝言等の情報を音声で再生して聞くことのできる録音／再生機能が備えられている。
【００１２】
始めに、カレンダー機能に伝言等の情報を音声で録音する手順を図２のフローチャート及び図３〜図７の各動作画面を参照して説明する。
【００１３】
まず、ステップ１０１において情報端末機の表示画面２にカレンダー画面を表示する。表示されたカレンダーの初期画面が図３であり、この例では１９９７年１０月のカレンダー画面９が選択表示されている。この１０月の所定の日にちには例えば、家族や知人等の誕生日が予め情報端末機に文字入力により登録されている。また、カレンダー画面９では、第１のアイコンの一具体例を示す各日にち部分がタッチパネル式のスイッチにされている。
【００１４】
次に、ステップ１０２においてカレンダーの予定を入れたい日にちを選択する。例えば、図３のカレンダー画面９において１０月２９日の日にち部分を指でタッチ操作すると（斜線で示している）、図４に示したカレンダー画面９が表示される。このカレンダー画面９上の一部にウインドウ１０が表示され、このウインドウ１０に１０月２９日に予め登録されている「October 29 1997 Gea Angela, s Birthday」の表示１１と、「OK」, 「Voice 」, 「Edit」のタッチパネルからなるアイコン１２が表示される。
【００１５】
このあと、ステップ１０３において音声録音を選択する。ここで、図４のカレンダー画面９において「Voice 」のアイコン１２をタッチ操作すると、図５のカレンダー画面９が表示される。このカレンダー画面９上の一部に表示されたウインドウ１３には「発信音の後、受話器を上げてお話下さい。録音を開始します。」のメッセージ１４と、録音の経過時間を示すインジケータ１５と、「Cancel」のアイコン１６が表示される。
【００１６】
尚、図４のカレンダー画面９において「OK」のアイコン１２をタッチ操作すると、図３のカレンダー画面９に戻り、また、「Edit」のアイコン１２をタッチ操作すると、編集等が可能な画面が表示される。
【００１７】
さて、ステップ１０３で音声録音の選択がされたあと、ステップ１０４において受話器４をオフフックすることで録音が開始される。このときのカレンダー画面９は図６であり、ウインドウ１７に「残り時間ゼロまたは受話器を戻すと録音終了です。」のメッセージ１８が表示される。すなわち、情報端末機の受話器４を使用して音声で伝言等の情報の録音を開始すると、インジケータ１５に録音時間（秒）経過が表示されると同時に、録音可能な残り時間（秒）が表示される。
【００１８】
録音は受話器４を情報端末機にオンフックした時点で終了し（ステップ１０５）、あるいはインジケータ１５にフル録音した時点で録音は自動的に停止する。このときのカレンダー画面９は図７に示すように初期のカレンダー画面に戻り、１０月２９日の日にち部分に録音有りの「Vo」マーク１９が表示される。
【００１９】
次に、カレンダー機能に録音した伝言等の情報を音声で再生する手順を図８のフローチャート及び図９〜図１３の各動作画面を参照して説明する。
【００２０】
まず、ステップ２０１において情報端末機の表示画面２にカレンダー画面を表示する。このときのカレンダー画面を図９に示し、１０月２９日の日にち部分に録音有りの「Vo」マーク１９が表示されているカレンダー画面９である。
【００２１】
次に、ステップ２０２において音声入力されている日にちを選択する。すなわち、「Vo」マーク１９が表示されている日にち部分を指でタッチ操作すると（斜線で示している）、図１０に示したカレンダー画面９が表示される。このカレンダー画面９上の一部にウインドウ２０が表示され、このウインドウ２０に１０月２９日に予め登録されている「October 29 1997 Gea Angela, s Birthday」の表示１１と、録音有りの「Vo」マーク１９と、第２のアイコンの一具体例を示す「OK」, 「Voice 」, 「Edit」のタッチパネルからなるアイコン１２が表示される。この「Vo」マーク１９の表示により１０月２９日に録音が入っていることが識別できる。
【００２２】
このあと、ステップ２０３において音声再生を選択する。ここで、図１０のカレンダー画面９において「Voice 」のアイコン１２をタッチ操作すると、情報端末機のスピーカ７から録音されている「Gea Angela, s Birthday」への伝言等の情報が音声で再生される。この再生動作と共に図１１のカレンダー画面９上のウインドウ２１に「停止ボタンマーク」, 「Delete」, 「Go Back 」のタッチパネルからなるアイコン２２が表示される。
【００２３】
このあと、ステップ２０４において再生音は停止される。この停止操作は再生動作を聞き終わったあとウインドウ２１に表示されている「停止ボタンマーク」のアイコン２２をタッチ操作することで再生動作が停止される。あるいは再生音がフル再生された時点で再生動作は停止する。この再生動作停止時は図１２のカレンダー画面９が表示される。
【００２４】
かくして、ステップ２０５において元のカレンダー画面が選択される。この操作は図１１のカレンダー画面９においてウインドウ２１の「Go Back 」のアイコン２２をタッチ操作することによって、１０月２９日の日にち部分に録音有りの「Vo」マーク１９が表示されている図９と同様の図１３に示す元のカレンダー画面９が表示される。
【００２５】
尚、図１２のカレンダー画面９においてウインドウ２１の「Delete」のアイコン２２をタッチ操作することで、１０月２９日の日にち部分に録音されている伝言等の情報は消去される。これに伴って、図１３のカレンダー画面９の１０月２９日の部分から録音有りの「Vo」マーク１９が削除される。
【００２６】
このように本発明では、電話機能及び液晶表示画面を有する据え置き型の情報端末機における情報管理機能の一つであるカレンダー機能を利用し、カレンダー画面に表示されるアイコンのタッチ操作を行い所定の日にち部分に伝言等の情報を音声入力して録音することができるので、キーボードを使用することなく手軽に操作できる。また、録音された情報はカレンダー画面の日にち部分に情報有りのマークが表示されて認識でき、この情報をアイコンのタッチ操作により音声で再生することができ、今までの情報端末機にない機能が実現できる。
【００２７】
本発明は上述しかつ図面に示した実施の形態に限定されるものでなく、その要旨を逸脱しない範囲内で種々の変形実施が可能である。
【００２８】
本発明ではカレンダー機能に伝言等の情報を音声で録音したり音声で再生する場合について説明したが、その他、情報端末機のスケジュール管理機能やメモ機能等の所定の日にち部分に予定等の情報を音声で録音したり音声で再生する場合にも広く適用可能である。
【００２９】
また、情報端末機としては据え置き型情報端末機以外、例えば、携帯型の電子手帳にマイク及びスピーカ機能と共に録音／再生回路を備えるようにすれば、電子手帳のカレンダー機能等にマイクから情報を音声で録音したり、表示画面をタッチペン等により操作しスピーカから音声で再生することも可能となり、一層、多機能な電子手帳となる。
【００３０】
さらに、携帯電話の場合は既にマイクとスピーカとを有することから録音／再生回路を新たに備えることで、情報を音声で録音したり再生音を聞くことができる携帯電話を得ることができる。
【００３１】
【発明の効果】
以上説明したように本発明による請求項１の通信機器は、情報端末機における情報管理機能に、音声で情報を入力し録音できる機能と、録音された情報を音声で再生できる機能とを備えるようにしたことによって、キーボードの操作が苦手なユーザーにとっても手軽に情報を音声で録音したり再生することができ、例えば、ユーザー専用の情報端末機にあってはカレンダー機能等に予定等を音声で録音したり音声で再生することができ、あるいは、家庭内においては家族間の音声による伝言機能として手軽に使用することができるといった効果がある。
【００３２】
また、音声による情報が入力されると、第１のアイコンに情報有りの識別が表示され、第１のアイコン及び第２のアイコンを選択操作することで情報が音声で再生できるので、情報有りの識別が一目で判ると共にアイコンを操作するだけで簡単に情報の再生が可能となる。
【００３３】
また、請求項２において、情報端末機が電話機能を有する場合では、受話器や情報端末機のマイクから音声で情報を入力し、情報端末機のスピーカから情報を音声で再生できるようにしたので、電話機能を利用して音声で情報を録音し再生する機能を得ることができる。
【００３４】
また、請求項３において、表示画面がタッチパネル機能を有し、アイコンをタッチ操作することで情報を音声で再生できるようにしたので、音声による再生をアイコンのタッチ操作で手軽に行うことができる。
【図面の簡単な説明】
【図１】本発明による通信機器の一例を示す外観斜視図である。
【図２】録音操作手順のフローチャートである。
【図３】録音時における初期画面のカレンダー画面である。
【図４】録音時における選択された日にちのカレンダー画面である。
【図５】録音時における音声入力開始時のカレンダー画面である。
【図６】録音中のカレンダー画面である。
【図７】録音停止後のカレンダー画面である。
【図８】再生操作手順のフローチャートである。
【図９】再生時における初期画面のカレンダー画面である。
【図１０】再生時における選択された日にちのカレンダー画面である。
【図１１】再生中のカレンダー画面である。
【図１２】再生停止時のカレンダー画面である。
【図１３】再生停止後の元のカレンダー画面である。
【符号の説明】
１…情報端末機本体、２…表示画面、４…受話器、７…スピーカ、９…カレンダー画面、１０，１３，１７…ウインドウ、１２，２２…アイコン、１５…インジケータ、１９…録音有りの「Vo」マーク１９
【図１】
0003903573.tif 000002
【図２】
0003903573.tif 000003
【図３】
0003903573.tif 000004
【図４】
0003903573.tif 000005
【図５】
0003903573.tif 000006
【図６】
0003903573.tif 000007
【図７】
0003903573.tif 000008
【図８】
0003903573.tif 000009
【図９】
0003903573.tif 000010
【図１０】
0003903573.tif 000011
【図１１】
0003903573.tif 000012
【図１２】
0003903573.tif 000013
【図１３】
0003903573.tif 000014